(57)【要約】【課題】シール部材が加工面の一部に貼り付けられた加工物に関し、模様や文字等が簡単にはなくならない加工物を提供することを目的とする。【解決手段】加工面２２ａの一部に貼り付けられたシール部材２５１と、シール部材２５１の縁２５１ａに沿って加工面２２ａに設けられた凹溝２２１と、加工面２２ａの、シール部材２５１が貼り付けられた領域の周囲の領域、およびシール部材２５１表面を一体に覆う透明な被膜２７とを有することを特徴とする。【選択図】        図５
2010128280.tif 000002
【特許請求の範囲】
【請求項１】
加工面の一部に貼り付けられたシール部材と、
前記シール部材の縁に沿って前記加工面に設けられた凹溝と、
前記加工面の、前記シール部材が貼り付けられた領域の周囲の領域、および該シール部材表面を一体に覆う透明な被膜とを有することを特徴とする加工物。
【請求項２】
前記加工面が樹脂によって形成されたものであることを特徴とする請求項１記載の加工物。
【請求項３】
前記加工面よりも下に金属面を有することを特徴とする請求項２記載の加工物。
【発明の詳細な説明】
【技術分野】
【０００１】
本発明は、シール部材が加工面の一部に貼り付けられた加工物に関する。
【背景技術】
【０００２】
従来より、装飾や目印等の目的で、ワークの表面に模様や文字等を付すことが行われている。単純には、ワーク表面に、はけや筆を用いて模様や文字等を描いたり、所望の形状のシールを貼ったりすることで、ワーク加工面に模様や文字等が付される。また、マスキング治具を用いた塗装によってワーク表面に模様や文字等を付すことも行われている。さらに、最近では、レーザ光による加工（例えば、特許文献１および２等参照）を用いてワーク表面に模様や文字等を付すことも行われている。このレーザ光による加工を用いた方法では、互いに色が異なる上下２層の塗膜層を予め設けておき、上側の塗膜層の、所望の形状部分だけをレーザ光によって除去する。こうすることで、上側の塗膜層が除去された所望の形状部分だけ、下側の塗膜層が表れ、その下側の塗膜層部分が模様や文字等になる。
【特許文献１】特表平１１−５０７２９８号公報
【特許文献２】国際公開第９５／２４２７９号パンフレット
【発明の開示】
【発明が解決しようとする課題】
【０００３】
ところで、模様や文字等が付された加工物からしてみると、模様や文字等がきれいにかつ正確に付されていても、塗膜層やシールが加工面から剥がれてしまうと、模様や文字等がなくなってしまう。このため、模様や文字等が簡単にはなくならないことが重要になってくる。
【０００４】
本発明は上記事情に鑑み、模様や文字等が簡単にはなくならない加工物を提供することを目的とするものである。
【課題を解決するための手段】
【０００５】
上記目的を解決する本発明の加工物は、加工面の一部に貼り付けられたシール部材と、
上記シール部材の縁に沿って上記加工面に設けられた凹溝と、
上記加工面の、上記シール部材が貼り付けられた領域の周囲の領域、およびそのシール部材表面を一体に覆う透明な被膜とを有することを特徴とする。
【０００６】
ここにいう加工面とは、シール部材が貼り付けられる面のことをいう。本発明の加工物によれば、上記凹溝に上記被膜が入り込んで、上記シール部材の縁がめくれ上がってしまうことを効果的に抑えることができる。このため、上記シール部材によって表された模様や文字等が簡単にはなくならない。
【０００７】
また、本発明の加工物において、上記加工面が樹脂によって形成されたものであることが好ましい。
【０００８】
上記加工面が樹脂であることにより、金属に比べて上記凹溝が形成されやすく、上記シール部材によって表された模様や文字等が簡単によりなくならない。
【０００９】
ここで、加工物自体の材質が樹脂である場合には、上記加工面は、加工物自体の材質としての樹脂であってもよい。
【００１０】
また、上記加工面よりも下に金属面を有する加工物においては、上記加工面が樹脂によって形成されたものであることがより好ましい。
【００１１】
ここでの上記樹脂は、樹脂製の塗膜であってもよい。
【００１２】
また、本発明の加工物は、車両用ホイールであってもよく、さらには、アルミニウムやマグネシウムやチタン等の軽合金を主成分とする軽合金製車両用ホイールであってもよい。ここにいう車両用ホイールは、四輪車用のホイールであっても、二輪車用のホイールであってもよく、さらには、自転車用のホイールであってもよいし、三輪バギー用のホイールであってもよい。すなわち、ホイールが取り付けられる車両の種類は問わない。加えて、上記シール部材は、リムフランジおもて側の加工面の一部に貼り付けられたものであってもよく、その形状は、ライン状や、文字、記号等であってもよい。また、ライン状の場合には、ホイールの周方向に１周した環状を形成するものであってもよいし、ホイールの周方向に間隔をあけて並ぶ、円弧状のものであってもよい。環状を形成するものであれば、上記凹溝は、上記シール部材の、周方向に延びる縁に沿って上記加工面に設けられたものになる。さらに、上記シール部材は、ディスク部の加工面の一部に貼り付けられたものであってもよく、スポーク部の加工面の一部に貼り付けられたものであってもよく、ハブ部の加工面の一部に貼り付けられたものであってもよい。
【００１３】
ところで、上記背景技術の中で説明した、はけや筆を用いる場合には、はけや筆の押し付け圧によって模様や文字等の太さが変わってしまったり、色ムラ（かすれ）が生じてしまい、どの製品にも同じ模様や文字等を付さなくてはならない大量生産には不向きである。また、所望の形状のシールを貼るにしても、位置や向きがずれてしまい、これもまた大量生産には不向きである。また、これらの方法では、模様や文字等の変更やそれらの色の変更に対する自由度は高いものの、描き方や貼り方によっては、模様や文字等を、きれいに付すことができなかったり、正確に付すことができなかったりすることがある。
【００１４】
また、マスキング治具を用いた塗装では、塗料によって汚れたマスキング治具の清掃が面倒であることに加えて、模様や文字等を変更するにはマスキング治具を作り直さなければならない。このため、マスキング治具を用いた塗装は、効率面から見て好ましくないばかりか、模様や文字等の変更に対しては費用面から見ても好ましくない。
【００１５】
さらに、レーザ光による加工を用いる場合には、模様や文字等の色は、予め設けておいた下側の塗膜層の色に限定されてしまい、色の変更に対する自由度がない。
【００１６】
このため、模様や文字等の変更やそれらの色の変更が低コストでフレキシブルに対応することができるとともに、模様や文字等をきれいにかつ正確に付すことができる新たな加工方法の登場が望まれている。
【００１７】
この新たな加工方法としては、ワークの表面に、所望の形状よりも大きな形状のシール部材を貼り付ける貼付工程と、
上記表面に貼り付けられたシール部材をレーザ光によって上記所望の形状に切断する切断工程と、
上記表面に貼り付けられたシール部材のうち、上記所望の形状部分を残しその形状部分よりも大きな余剰部分をその表面から取り除く除去工程とを有することを特徴とする加工方法があげられる。
【００１８】
この新たな加工方法では、模様や文字等の変更は、上記切断工程におけるレーザ光の軌跡を変更することで対応することができ、それらの色の変更は、上記貼付工程で貼り付けるシール部材の色を変えることで対応することができる。したがって、この新たな加工方法によれば、模様や文字等の変更やそれらの色の変更が低コストでフレキシブルに対応することができる。また、上記貼付工程では、所望の形状よりも大きな形状のシール部材を貼り付けるため、所望の形状のシール部材を貼り付けるよりもシール部材の貼り付けが容易であり、しかも、上記切断工程において、シール部材から所望の形状を切り出すため、模様や文字等をきれいにかつ正確に付すことができる。
【００１９】
また、上記新たな加工方法において、上記表面の、上記余剰部分が取り除かれた部分、および上記シール部材の所望の形状部分に、透明かつ一体な被膜を形成する被膜形成工程を有することが好ましい。
【００２０】
上記切断工程を実施することで、上記表面には、上記シール部材の、所望の形状部分の縁に沿って凹溝が設けられ、この被膜形成工程によって形成された被膜は、その凹溝に入り込んで、上記シール部材の、所望の形状部分の縁がめくれ上がってしまうことを効果的に抑えることができる。
【００２１】
さらに、上記ワークは、上述の車両用ホイールの中間製品であってもよく、上記貼付工程で上記シール部材を貼り付ける箇所は、リムフランジおもて側になるワーク表面や、ディスク部になるワーク表面や、スポーク部になるワーク表面や、ハブ部になるワーク表面であってもよい。さらに、上記貼付工程で貼り付けるシール部材の形状は、ライン状よりも幅が太い帯状であってもよく、帯状の場合には、ホイールの周方向に１周した環状を形成するものであってもよい。
【発明の効果】
【００２２】
本発明の加工物によれば、模様や文字等が簡単にはなくならない。
【発明を実施するための最良の形態】
【００２３】
以下図面を参照して本発明の実施の形態を説明する。
【００２４】
図１は、本発明の一実施形態である車両用ホイールの斜視図を示す図である。
【００２５】
図１に示す車両用ホイール１は、アルミニウムを主成分とする金属を鋳造によって成形した軽合金製車両用ホイールである。この車両用ホイール１は、二輪車用のものであり、リム部１１と、不図示の二輪車の車体に取り付けられるハブ部１２と、リム部１１とハブ部１２をつなぐ３本のスポーク部１３を有する。以下、リム部１１の、スポーク部１３側の面をおもて面１１ａと称する。リム部１１には、このおもて面１１ａと反対の裏面１１ｂ側に不図示のタイヤが装着される。このリム部１１の、ホイール幅方向Ｗの両端にはリムフランジ部１１１，１１２が形成されている。また、図１に示す車両用ホイール１は、全体に有色（本実施形態では白色）の塗装が施されており、各部１１〜１３における加工面には白色の塗膜が形成されている。さらに、この車両用ホイール１のリムフランジ部１１１，１１２のおもて側の加工面の一部には、車両用ホイール１と同心円状の環状ラインＳが装飾として施されている。この環状ラインＳは有色（本実施形態では黒色）のシール部材である。シール部材については詳しくは後述する。
【００２６】
図２は、図１に示す車両用ホイールを製造する加工工程の一つである塗装工程の流れを示すフローチャートであり、図３は、図２に示す塗装工程が実施されている途中の様子を模式的に示す図である。
【００２７】
金型鋳造によって成形された車両用ホイールの中間製品（ワーク）は、熱処理が施される。熱処理によってワーク表面に生じた酸化膜は、ショットブラストによって除去される。続いて、機械加工工程においてボルト孔の穿孔や切削加工が施され、塗装工程が実施される。図３には、車両用ホイールの中間製品（ワーク）２が示されている。
【００２８】
塗装工程では、まず、前処理が行われる（ステップＳ１１）。この前処理では、脱脂および酸洗浄が施され、機械加工工程において付着した切削油等の油成分や、ショットブラストで除去しきれなかった残留酸化物成分が除去される。また、前処理では防錆能力を高めるために化成処理が施される。この化成処理では、ワーク表面に防錆効果のある被膜を化学的に形成する。
【００２９】
次に、下地プライマー塗装が行われる（ステップＳ１２）。ここでは、ワーク表面にエポキシ系樹脂が塗布され、ワーク表面には下地層が形成される。なお、エポキシ系樹脂を塗布する溶剤塗装に代えて、粉体塗装や電着塗装によって下地層を形成してもよい。また、溶剤塗装では、エポキシ系樹脂に代えて、アクリルメラミン系の樹脂や、ポリエステル系樹脂を用いてもよい。
【００３０】
続いて、アクリルメラミン系の樹脂を用いてカラー塗装が行われる（ステップＳ１３）。このカラー塗装で使用されるアクリルメラミン系の樹脂は、クリアー塗料に白色の顔料が添加されたものである。ワーク表面には、白色の塗膜が形成される。なお、アクリルメラミン系の樹脂を塗布する溶剤塗装に代えて、粉体塗装によって塗膜を形成してもよい。また、溶剤塗装では、アクリルメラミン系の樹脂に代えて、エポキシ系樹脂や、ポリエステル系樹脂を用いてもよい。
【００３１】
その後、１２０℃以上１７０℃以下（好ましくは１４０℃以上１６０℃以下），１０分以上４０分以下（好ましくは１５分以上２５分以下）の条件で焼付け処理が行われ（ステップＳ１４）、図３に示すように、ワークの金属面２ａには、厚さが１０μｍ以上３０μｍ以下の下地層２１が形成され、その下地層２１の表面２１ａには、厚さが１０μｍ以上３０μｍ以下の塗膜２２が形成される。すなわち、ここまでの工程で、２コート１ベイクの塗装が実施される。なお、１コート１ベイクの塗装や３コート２ベイクの塗装を実施してもよい。
【００３２】
なお、ステップＳ１２における下地プライマー塗装や、ステップＳ１３におけるカラー塗装で粉体塗装を行った場合には、形成される塗膜の厚さは８０μｍ以上１２０μｍ以下になる。また、下地プライマー塗装で電着塗装を行った場合には、形成される塗膜の厚さは５μｍ以上１５０μｍ以下になる。
【００３３】
ステップＳ１４の焼付け処理が終了すると、今度は、シール貼付工程が実施される（ステップＳ１５）。このシール貼付工程では、作業者が、図３に示すワーク２の表面になる塗膜２２の表面２２ａに１本の帯状のシール部材２５を貼り付ける。すなわち、図１に示す車両用ホイール１のリムフランジ部１１１，１１２になる部位のおもて側の加工面にシール部材２５を貼り付ける。シール部材２５は、リムフランジ部１１１，１１２になる部位に沿ってホイールの周方向に１周するものの、周方向につながっておらず、周方向一端が他端に重なって環状を形成するものである。また、図１に示す環状ラインＳの太さ（幅）が４ｍｍであるのに対して、帯状のシール部材２５の幅は６ｍｍであり、環状ラインＳの太さよりも太い。したがって、この帯状のシール部材２５の形状は、所望の形状である図１に示す環状ラインＳよりも大きな形状である。シール部材２５の貼り付けにあたっては、シール部材２５を、車両用ホイール１と同心円状に貼り付ける必要は必ずしもなく、リムフランジ部１１１，１１２になる部位に収まっている程度に貼り付ければよい。このシール部材２５は、黒色に着色した塩化ビニールフィルムの裏面にゴム系粘着剤を均一に塗布したものであり、１５０℃近くまでの耐熱性を有するとともに、水、エタノール、灯油等に対する耐薬品性にも優れたものである。また、シール部材２５の厚さは、０．０５ｍｍ以上０．１５ｍｍ以下である。
【００３４】
次いで、炭酸ガスレーザを用いたシール切断工程が実施される（ステップＳ１６）。ここでは、スポット径０．１８ｍｍ以上２ｍｍ以下のレーザ光Ｌを、塗膜２２の表面２２ａに貼り付けたシール部材２５に照射し、幅６ｍｍの帯状のシール部材２５を車両用ホイール１と同心円の所望の形状（ここでは幅４ｍｍのライン状）に切断する。すなわち、帯状のシール部材２５の幅方向中央部分に幅方向に４ｍｍの間隔をあけて車両用ホイール１と同心円になるようにレーザ光Ｌを照射する。こうすることで、シール部材２５のうち、幅方向中央部分２５１が車両用ホイール１と同心円の所望の形状部分（幅４ｍｍのライン状の部分）になり、その幅方向中央部分２５１よりも大きな外側部分２５２が余剰部分になる。なお、レーザ光Ｌのスポット径は小さいほど好ましい。
【００３５】
図４は、図２に示すシール切断工程で用いられる炭酸ガスレーザ切断装置を示す図である。
【００３６】
図４に示す炭酸ガスレーザ切断装置３は、ワーク２を載置した状態で回転する回転テーブル３１を備えている。この回転テーブル３１には、ワーク２を固定する不図示のチャック機構が設けられており、チャック機構に固定されたワーク２は、図１に示すハブ部１２になる部位１２’を中心にして回転テーブル３１とともにホイール周方向に回転する（矢印ｒ参照）。また、回転テーブル３１の上方には、レーザマーカ３２が設けられている。図４では、このレーザマーカ３２からレーザ光Ｌが、回転テーブル３１に固定されたワーク２の、図１に示すリムフランジ部１１１になる部位１１１’に貼り付けられたシール部材２５（図３参照）に向けて照射される。なお、レーザ光Ｌの最大出力値は７５Ｗである。
【００３７】
図４に示すレーザマーカ３２は、昇降自在であり（矢印ｚ参照）、レーザマーカ３２を昇降することによって、レーザマーカ３２とワーク２との距離を調節する。鋳造によって成形されたワーク２では特に、ワーク表面の水平度が劣る場合があり、レーザマーカ３２とワーク２との距離の調節は重要になる。レーザマーカ３２から照射されたレーザ光Ｌは、シール部材２５を貫通してさらに、図３に示す塗膜２２を貫通しない程度にその塗膜２２を彫り込む。レーザ光Ｌによる塗膜２２の彫り込み深さは、１μｍ以上１０μｍ未満であることが好ましい。シール部材２５を完全に切断するには、ある程度の余裕をみて、塗膜２２の彫り込み深さとして１μｍは必要である。一方、塗膜２２の彫り込み深さが１０μｍ以上になると、下地層２１が見えてしまう場合がある。ただし、本実施形態におけるレーザの使用目的は、シール部材２５を切断する目的であるため、レーザ光Ｌのスポット径は非常に小さくすみ、仮に、レーザ光Ｌが塗膜２２を貫通して下地層２１が見えてしまったとしても、その下地層２１が見える部分は極めて細い線状であり、ほとんど目立たない。また、レーザ光Ｌによる塗膜２２の彫り込み深さは、後述するトップコート層による保護効果を十分に得るために、５μｍ以上であることがより好ましい。レーザ光Ｌによる塗膜２２の彫り込みによって、塗膜２２の表面２２ａには、シール部材２５の幅方向中央部分２５１の縁に沿って凹溝が設けられる。
【００３８】
また、レーザマーカ３２は、水平方向において、Ｘ軸方向（矢印Ｘ参照）と、そのＸ軸方向に直交するＹ軸方向（図４の紙面に対して垂直な方向）との２方向にも移動自在である。すなわち、レーザマーカ３２は、所定長の範囲でＸ軸方向に移動自在であるとともに同じく所定長の範囲でＹ軸方向にも移動自在である。図３には、レーザマーカ３２が実線と二点鎖線で示されているが、二点鎖線で示されたレーザマーカ３２は、実線で示されたレーザマーカ３２が水平方向に移動（図３中の矢印参照）したものである。図４に示す炭酸ガスレーザ切断装置３では、ワーク２を周方向に１５ブロックに分け、１ブロックごとにシール部材２５の切断を行っていく。シール部材２５の切断を行っている間は、回転テーブル３１は回転せずにワーク２は固定されており、レーザマーカ３２が移動する。１ブロックにおけるシール部材２５の切断が終了すると、レーザ光Ｌの照射を一旦止め、回転テーブ３１を回転させることで、次のブロックに移行させる。なお、ワーク２をブロックに分けずに、回転テーブル３１を回転させながらシール部材２５の切断を連続的に行ってもよい。すなわち、ワーク２とレーザ光Ｌを照射するレーザ光源とは、相対的に移動するものであればよい。
【００３９】
なお、ここでは高出力の観点から炭酸ガスレーザを用いたが、レーザの種類はこれに限られるものではない。
【００４０】
ステップＳ１６のシール切断工程が終了すると、シール除去工程が実施される（ステップＳ１７）。このシール除去工程では、塗膜２２の表面２２ａに貼り付けられたシール部材２５のうち、所望の形状部分である幅方向中央部分２５１を残し、余剰部分である外側部分２５２を、その表面２２ａから取り除く。上述のごとく、シール部材２５は、周方向一端が他端に重なって環状を形成しているものであり、外側部分２５２の周方向一端をめくり上げることで、外側部分２５２を容易に取り除くことができる。
【００４１】
最後に、トップコート塗装を行い（ステップＳ１８）、塗装工程が終了する。ここでの塗装では、塗膜２２の表面２２ａ、およびシール部材２５の残った幅方向中央部分２５１に、常温硬化型のアクリルウレタン系の透明樹脂を塗布する。こうすることで、塗膜２２の表面２２ａにおける、シール部材２５の外側部分２５２が取り除かれた部分、およびシール部材２５の幅方向中央部分２５１には、透明かつ一体なトップコート層が形成される。このトップコート層は、本発明の加工物にいう被膜の一例に相当する。ここで、常温硬化型の塗料を用いる理由は、上述のステップＳ１４のように、１５０℃ほどの温度で焼付け処理を行うと、シール部材２５の残った幅方向中央部分２５１が収縮して変形してしまう恐れがあるからである。ただし、シール部材２５の耐熱温度以下の温度に加熱することで硬化する熱硬化型樹脂であれば使用することができ、耐熱温度以下の温度で焼付け処理を行ってもよい。
【００４２】
以上説明した塗装工程を終え、その他必要な処理があれば施して、図１に示す車両用ホイール１が完成する。
【００４３】
本実施形態における塗装工程では、ワーク２に付す模様や文字等の変更は、ステップＳ１６のシール切断工程におけるレーザ光Ｌの軌跡を変更することで対応することができる。例えば、模様や文字等として、車両用ホイールの周方向に間隔をあけて並ぶ円弧状のスリット模様であっても、ロゴや商品名であっても、レーザ光Ｌの軌跡を変更することで対応することができる。また、ワーク２に付す模様や文字等の色の変更は、ステップＳ１５のシール貼付工程で貼り付けるシール部材２５の色を変えることで対応することができる。したがって、この塗装工程によれば、模様や文字等の変更やそれらの色の変更が低コストでフレキシブルに対応することができる。また、シール切断工程において、シール部材２５から、車両用ホイール１と同心円状の所望の形状を切り出すことから、シール貼付工程では、シール部材２５を、車両用ホイール１と同心円状に貼り付ける必要は必ずしもなく、最初から車両用ホイール１と同心円にシール部材を貼り付ける場合に比べてシール部材の貼り付けは簡単であり、環状ラインＳをきれいにかつ正確に付すことができる。さらに、本実施形態における塗装工程では、仮にシール切断工程において失敗したとしても、シール部材２５を貼り付け直せば、もう一度、シール切断工程を行うことができる。
【００４４】
図５は、図１に示す車両用ホイールのリムフランジ部の断面を模式的に拡大して示す図である。
【００４５】
図５に示すリムフランジ部１１１のおもて側には、シール部材の幅方向中央部分２５１によって形成された環状ラインＳが示されている。また、図５には、図２に示すステップＳ１６のシール切断工程を実施する際に塗膜２２の表面２２ａに形成された凹溝２２１も示されている。この凹溝２２１は、シール部材の幅方向中央部分２５１の縁２５１ａに沿って延びたものである。さらに、この図５には、図２に示すステップＳ１８のトップコート塗装によって形成されたトップコート層２７も示されている。図５に示すように、トップコート層２７は、凹溝２２１に入り込んでおり、シール部材の幅方向中央部分２５１の、塗膜２２側の角部２５１ｂは、トップコート層２７によってしっかりと保護されている。すなわち、シール部材の幅方向中央部分２５１の縁２５１ａは、十分な厚みのトップコート層２７によって覆われている。したがって、環状ラインＳを形成するシール部材の幅方向中央部分２５１の縁２５１ａがめくれ上がってしまうことが効果的に抑えられ、その幅方向中央部分２５１が表面２２ａから簡単には剥がれ落ちなくなる。上述のごとく、凹溝２２１の深さは、トップコート層２７の厚みを稼ぐために、５μｍ以上であることが好ましい。また、このトップコート層２７を設けたことによって、塗膜２２のツヤや環状ラインＳのツヤが増し、意匠的に優れた車両用ホイールになっている。
【００４６】
続いて、図３や図５に示したシール部材２５の変形例について説明する。
【００４７】
図６は、シール部材の変形例を示した図である。
【００４８】
図６に示すシール部材２９は、図１に示すリムフランジ部１１１，１１２に沿ってホイールの周方向に１周して周方向につながった環状のものである。この図６には、図２に示すステップＳ１６のシール切断工程における切断線を点線で示してあり、所望の形状部分である幅方向中央部分２９１と、余剰部分になる外側部分２９２も示されている。図６に示す外側部分２９２には、外側に突出したつまみ片２９２１が一体的に設けられている。図２に示すシール除去工程では、このつまみ片２９２１をめくり上げることで、外側部分２５２を容易に取り除くことができる。
【００４９】
また、図３や図５に示したシール部材２５の厚さは、０．０５ｍｍ以上０．１５ｍｍ以下であったが、意匠的に凹凸感を出すために、図６に示すシール部材２９の厚さは３ｍｍである。したがって、シール部材の厚さは目的に応じて０．０５ｍｍ以上３ｍｍ以下の範囲から適宜選択すればよい。ただし、厚手のシール部材を用いる場合には、シール切断工程において高出力のレーザ光Ｌを用いる必要がある。
【００５０】
以上の説明では、車両用ホイールを例にあげて説明したが、本発明は、車両用ホイールに限らず、車両用ホイールに装着される樹脂製のホイールキャップや、広く一般の加工物にも適用することができる。また、車両用ホイールに限って見ても、鉄製の車両用ホイールにも適用することができ、四輪車用の車両用ホイールにも適用することができる。さらに、模様や文字等を付す部位は、リムフランジ部１１１，１１２に限らず、ハブ部１２やスポーク部１３、あるいはディスク部であってもよい。
【００５１】
また、模様や文字等の所望の形状の大きさ（本実施形態では環状ラインＳの太さ）に対して、シール部材２５，２９の大きさをどの程度にするかは、外側部分２５２，２９２が取り除かれることを考慮したシール部材２５，２９の節約の観点と、本実施形態であれば、車両用ホイール１と同心円状に貼り付けることを意識せずにシール部材２５，２９を貼り付けても、車両用ホイール１と同心円状の環状ラインＳができる成功率との関係によって定めればよい。本実施形態の場合には、この成功率を勘案すると、幅方向に１．６ｍｍ以上大きいことが好ましい。また、シール部材２５，２９の節約の観点と、模様や文字等の変更に対する自由度との関係によって定めてもよい。
【図面の簡単な説明】
【００５２】
【図１】本発明の一実施形態である車両用ホイールの斜視図を示す図である。
【図２】図１に示す車両用ホイールを製造する加工工程の一つである塗装工程の流れを示すフローチャートである。
【図３】図２に示す塗装工程が実施されている途中の様子を模式的に示す図である。
【図４】図２に示すシール切断工程で用いられる炭酸ガスレーザ切断装置を示す図である。
【図５】図１に示す車両用ホイールのリムフランジ部の断面を模式的に拡大して示す図である。
【図６】シール部材の変形例を示した図である。
【符号の説明】
【００５３】
１    車両用ホイール
１１    リム部
１１１    リムフランジ部
１２    ハブ部
１３    スポーク部
Ｓ    環状ライン
２    ワーク
２２    塗膜
２２ａ    表面
２２１    凹溝
２５    シール部材
２５１    幅方向中央部分
２５２    外側部分
２７    トップコート層
３    炭酸ガスレーザ切断装置
【図１】
2010128280.tif 000003
【図２】
2010128280.tif 000004
【図３】
2010128280.tif 000005
【図４】
2010128280.tif 000006
【図５】
2010128280.tif 000007
【図６】
2010128280.tif 000008